【事件の表示】
　特願２００５−１６０９０３「高輝度液晶表示装置」拒絶査定不服審判事件〔平成１８年　４月　６日出願公開、特開２００６−　９１８４１〕について、次のとおり審決する。
【結　論】
　本件審判の請求は、成り立たない。
【理　由】
第１　手続の経緯
　本願は、平成１７年６月１日（パリ条約による優先権主張２００４年９月２２日、大韓民国）の出願であって、平成２１年１月２８日に手続補正がなされたところ、同年７月１日付けで拒絶査定がなされ、これに対し、同年１１月６日に拒絶査定不服審判請求がなされるとともにこれと同時に手続補正がなされたものである。
　
　
第２　平成２１年１１月６日付けの手続補正についての補正却下の決定
［補正却下の決定の結論］
　平成２１年１１月６日付けの手続補正を却下する。
　
［理由］
１　補正の内容  
　平成２１年１１月６日付けの手続補正（以下「本件補正」という。）は、補正前の請求項１を削除するとともに、補正前の請求項９を以下のように補正して新たに補正後の請求項１とすることを含むものである。
　
「液晶表示装置であって、
　液晶パネル、
　該液晶パネルの下部に配置されたエッジ型バックライトアセンブリ、
　該液晶パネルと該バックライトアセンブリとの間に、これら液晶パネルとバックライトアセンブリと別個に配置された、複数の反射領域及び複数の透過領域を有する反射層、及び、
　該バックライトアセンブリの下面に配置された反射板を備え、
　前記液晶パネルは、対向して配置され、少なくとも一方に電界を発生する電極を有するカラーフィルタ基板及びＴＦＴアレイ基板、前記ＴＦＴアレイ基板上に縦横に配列されて画素領域を定義する複数のゲートライン及びデータライン、前記ゲートラインとデータラインとの交差領域に形成される薄膜トランジスタ、前記カラーフィルタ基板上に形成されるカラーフィルタ層、前記カラーフィルタ基板とＴＦＴアレイ基板との間に形成される液晶層、及び光漏れを防止するブラックマトリックスからなり、
　前記ブラックマトリックスは前記カラーフィルタ基板上に形成され、
　前記ブラックマトリックスにより前記カラーフィルター層の内部が光遮断領域と光透過領域とに区分され、
　前記反射層の該反射領域は、前記ブラックマトリックスと対応する位置に形成され、前記ブラックマトリックスと同じ形状に形成され、
　前記反射層は、前記エッジ型バックライトアセンブリ及び前記反射板からの光の一部を前記反射領域で反射させ、前記反射板は、前記反射層からの反射光を反射させることを特徴とする液晶表示装置。」
　
　ただし、補正後の請求項１中の「反射領域に反射させ」は、「反射領域で反射させ」の誤りであると認められるから、上記のとおり認定した。
　
　本件補正は、補正前（平成２１年１月２８日付け手続補正後のもの）の請求項９において、「バックライトアセンブリ」が「エッジ型バックライトアセンブリ、又は直下型バックライトアセンブリである」とあったものを「エッジ型バックライトアセンブリ」と限定するとともに、「反射層」が「これら液晶パネルとバックライトアセンブリと別個に配置された」ものであることを限定し、補正前に「前記反射層の該反射領域は、前記ブラックマトリックスと同じ形状かつ対向するように形成され」とあったものを「前記反射層の該反射領域は、前記ブラックマトリックスと対応する位置に形成され、前記ブラックマトリックスと同じ形状に形成され」と言い換えることを含むものであるから、上記補正は、平成１８年法律第５５号改正附則第３条第１項によりなお従前の例によるとされる同法による改正前の特許法第１７条の２第４項第２号の特許請求の範囲の減縮を目的とするものである。
　
２　独立特許要件 
　そこで、本件補正後の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
 　 
（１）刊行物記載の発明
　原査定の拒絶の理由に引用され、本願の優先日前に頒布された刊行物である特開平１０−２６８７８６号公報（以下「引用刊行物」という。）には、図とともに以下の事項が記載されている。
　
　ア　「【０００１】
【発明の属する技術分野】この発明は、複数枚の液晶表示パネルを接合して平面表示板を形成し大面積の画像表示を可能にする構造を有する平面表示装置に関する。」
　
　イ　「【００１３】
【発明の実施の形態】以下、この発明を液晶表示装置に適用した実施の形態について図面を参照して説明する。
【００１４】最初に、図１、図２を参照してこの発明の原理を説明する。図１は液晶表示パネルの背後に設けられる白色面光源として例えば管状光源１１ａおよびこの光源１１ａに近接して配置されるアクリル樹脂などからなる導光板（図示せず）を含むバックライト装置１１と、液晶表示パネル１２との間にこの発明に係る光反射シート１３が挿入された状態を示す。
【００１５】バックライト装置１１は蛍光灯などの管状光源１１ａと、この管状光源１１ａからの光を反射して導光させかつ一部を反射するための処理が施された導光板とこの導光板の表面に配置された反射板１１ｂとを有する。
【００１６】この発明による光反射シート１３は、その反射面が反射板１１ｂの方向に向いており、かつ図示しないが液晶表示パネル１２のＲＧＢ（赤、青、緑）を単位とする絵素に対向する部分に複数の開口１３ａが形成された構成を有している。この複数の開口１３ａの間の光反射シート１３の部分はブラックマトリクス（以下ＢＭと称する）領域に相当する部分である。
【００１７】従って、前記絵素に入射する光としては、従来と同様に反射板１１ｂで反射した光Ｌ１以外に、光反射シート１３で反射した光Ｌ２やＬ３などがあり、これにより蛍光灯１１ａからの光源光はＢＭ領域で吸収されることなく効果的に表示に利用されるため、従来に比して遥かに多くの光を絵素に与えることができ、明るい画像表示が可能となる。
【００１８】反射板１１ｂで反射された光源１１ａからの光のうち、光反射シート１３に入射する光は従来の構造においては液晶パネルのＢＭ領域により吸収される成分であり、光反射シート１３によって反射され、一旦バックライト１１側に戻される。この光成分はバックライト１１内部で多重反射を繰り返し、再び光反射シート１３の開口部１３ａを通過し、有効な照明光として必要に応じて透明支持基板に設けられたマイクロレンズアレイによる集光を受け絵素開口部に入射する。」
　
　ウ　「【００２４】以下、図３ないし図６を参照して上記の原理に基づいたこの発明の実施の形態を詳細に説明する。
・・・
【００２６】図４は図３の接合領域２５を含むように線ＩＶ−ＩＶに沿って切断した本実施例における構造について部分的に示した断面図、図５は図４の部分を拡大して示す各液晶セルに設けられたＴＦＴ画素とＢＭ部を示す平面図であり、支持ガラス基板３０上に設けられたマイクロレンズアレイについて画面正面からみた場合の位置関係を説明する構造図である。
【００２７】図４において、画面下側が観測者側から見て最後部に相当し、観測者側に向かって順次バックライト１１、シート開口部１３ａを有する光反射シート１３がある。光反射シート１３のバックライト１１側に面した表面１３ｂは例えば光反射率０．８５の反射面である。
・・・
【００２９】光反射シート１３の前面には偏光板２６を介して複数のマイクロレンズ３０ａを有するマイクロレンズアレイが形成された支持ガラス基板３０を設け、この支持ガラス基板３０の上に２枚の液晶セルすなわち液晶表示パネル２１、２２を並列に配置する。マイクロレンズ３０ａは、光反射シート１３のシート開口部１３ａに対応して配置され、バックライト１１から入射される光を平行光線に変換して液晶表示パネル２１、２２の対応位置に配置されているＲＧＢ絵素２１Ｐ，２２Ｐに導くものである。
・・・
【００３１】バックライト１１は冷陰極三波長管を例えば図１の光源１１ａとするサイドライト式バックライトであり、公知の導光板の底面に設けた白色のドット印刷および透過型拡散板（図示省略）によって出射輝度のばらつきは反射面１１ｂ内で10％以下に抑えられている。バックライト１１の底面の反射面１１ｂは白色印刷され、この面における反射率は前述のように約８５％を有している。
【００３２】この実施例では、光反射シート１３は液晶表示基板２１、２２の絵素開口部２１Ｐ、２２Ｐに対応して等間隔に穿孔された開口部１３ａを有し、開口部１３ａの形状は絵素開口部２１Ｐ、２２ＰもしくはＲＧＢ絵素の輪郭形状に相似であるか、ＲＧＢ絵素がストライプ配列であれば縦方向の画素一列分に相当するスリット状とすることが望ましい。」
　
　エ　上記イ、ウ及び図１を踏まえて図４をみると、バックライト装置１１は、その下面に反射板１１ｂを備えていること、が見て取れる。
　
　上記摘記事項の記載を総合すると、引用刊行物には、以下の発明（以下「引用発明」という。）が記載されている、と認められる。
　
「バックライト装置１１と、液晶表示パネル１２との間に光反射シート１３が挿入された平面表示装置であって、
　バックライト装置１１は、その下面に反射板１１ｂを備えており、
　光反射シート１３は、その反射面が反射板１１ｂの方向に向いており、かつ液晶表示パネル１２のＲＧＢ（赤、青、緑）を単位とする絵素に対向する部分に複数の開口１３ａが形成された構成を有しており、この複数の開口１３ａの間の光反射シート１３の部分はブラックマトリクス（ＢＭ）領域に相当する部分であり、従って、前記絵素に入射する光としては、反射板１１ｂで反射した光Ｌ１以外に、光反射シート１３で反射した光Ｌ２やＬ３などがあり、これにより光源光はＢＭ領域で吸収されることなく効果的に表示に利用されるため、従来に比して遥かに多くの光を絵素に与えることができ、明るい画像表示が可能となり、
　光反射シート１３の前面には偏光板２６を介して複数のマイクロレンズ３０ａを有するマイクロレンズアレイが形成された支持ガラス基板３０が設けられ、この支持ガラス基板３０の上に２枚の液晶セルを並列に配置し、マイクロレンズ３０ａは、光反射シート１３のシート開口部１３ａに対応して配置され、バックライト１１から入射される光を平行光線に変換して２枚の液晶セルの対応位置に配置されているＲＧＢ絵素２１Ｐ，２２Ｐに導くものであり、
　光反射シート１３は液晶セルの絵素開口部２１Ｐ、２２Ｐに対応して等間隔に穿孔された開口部１３ａを有し、開口部１３ａの形状は絵素開口部２１Ｐ、２２ＰもしくはＲＧＢ絵素の輪郭形状に相似である、平面表示装置。」
　 
（２）対比、判断
　本願補正発明と引用発明とを対比する。
　
　ア　引用発明の「平面表示装置」は、「バックライト装置１１と、液晶表示パネル１２との間に光反射シート１３が挿入された」ものであって、「バックライト装置１１は、その下面に反射板１１ｂを備えており」、「光反射シート１３」は、「その反射面が反射板１１ｂの方向に向いており、かつ液晶表示パネル１２のＲＧＢ（赤、青、緑）を単位とする絵素に対向する部分に複数の開口１３ａが形成された構成を有しており」、該「光反射シート１３」が「液晶表示パネル１２」と「バックライト装置１１」と別個に配置されたものである、といえることは明らかであるから、
　（ア）引用発明の「液晶表示パネル１２」、「（バックライト装置１１と、液晶表示パネル１２との間に挿入され、複数の開口１３ａが形成された）光反射シート１３」、「（バックライト装置１１の下面の）反射板１１ｂ」及び「平面表示装置」は、それぞれ、本願補正発明の「液晶パネル」、「（該液晶パネルと該バックライトアセンブリとの間に、これら液晶パネルとバックライトアセンブリと別個に配置された、複数の反射領域及び複数の透過領域を有する）反射層」、「（該バックライトアセンブリの下面に配置された）反射板」及び「液層表示装置」に相当し、
　（イ）引用発明の「バックライト装置１１」は、本願補正発明の「該液晶パネルの下部に配置されたエッジ型バックライトアセンブリ」と、「該液晶パネルの下部に配置されたバックライトアセンブリ」である点で一致し、
　（ウ）引用発明の「バックライト装置１１と、液晶表示パネル１２との間に光反射シート１３が挿入された平面表示装置であって、バックライト装置１１は、その下面に反射板１１ｂを備えており、光反射シート１３は、その反射面が反射板１１ｂの方向に向いており、かつ液晶表示パネル１２のＲＧＢ（赤、青、緑）を単位とする絵素に対向する部分に複数の開口１３ａが形成された構成を有しており」との事項は、本願補正発明の「液晶表示装置であって、液晶パネル、該液晶パネルの下部に配置されたエッジ型バックライトアセンブリ、該液晶パネルと該バックライトアセンブリとの間に、これら液晶パネルとバックライトアセンブリと別個に配置された、複数の反射領域及び複数の透過領域を有する反射層、及び、該バックライトアセンブリの下面に配置された反射板を備え」との事項と、「液晶表示装置であって、液晶パネル、該液晶パネルの下部に配置されたバックライトアセンブリ、該液晶パネルと該バックライトアセンブリとの間に、これら液晶パネルとバックライトアセンブリと別個に配置された、複数の反射領域及び複数の透過領域を有する反射層、及び、該バックライトアセンブリの下面に配置された反射板を備え」との点で一致する。
　
　イ　引用発明の「液晶表示パネル１２」は、「ＲＧＢ（赤、青、緑）を単位とする絵素」と「ブラックマトリクス（ＢＭ）領域」とを有するものであり、対向して配された２つの基板の間に液晶層が形成されて構成されたものであることは明らかであるから、
　（ア）引用発明の「ブラックマトリクス（ＢＭ）領域」は、本願補正発明の「（光漏れを防止する）ブラックマトリックス」に相当し、
　（イ）引用発明の「『液晶表示パネル１２』は、『ＲＧＢ（赤、青、緑）を単位とする絵素』と『ブラックマトリクス（ＢＭ）領域』とを有し、対向して配された２つの基板の間に液晶層が形成されてなる」との事項は、本願補正発明の「前記液晶パネルは、対向して配置され、少なくとも一方に電界を発生する電極を有するカラーフィルタ基板及びＴＦＴアレイ基板、前記ＴＦＴアレイ基板上に縦横に配列されて画素領域を定義する複数のゲートライン及びデータライン、前記ゲートラインとデータラインとの交差領域に形成される薄膜トランジスタ、前記カラーフィルタ基板上に形成されるカラーフィルタ層、前記カラーフィルタ基板とＴＦＴアレイ基板との間に形成される液晶層、及び光漏れを防止するブラックマトリックスからなり」との事項と、「前記液晶パネルは、対向して配置された２つの基板と、カラーフィルターと、該２つの基板の間に形成される液晶層、及び光漏れを防止するブラックマトリックスを備え」との点で一致する。
　
　ウ　引用発明は、「（液晶表示パネル１２のＲＧＢ（赤、青、緑）を単位とする絵素に対向する部分に形成された）複数の開口１３ａの間の光反射シート１３の部分はブラックマトリクス（ＢＭ）領域に相当する部分であり」、「光反射シート１３は液晶セルの絵素開口部２１Ｐ、２２Ｐに対応して等間隔に穿孔された開口部１３ａを有し、開口部１３ａの形状は絵素開口部２１Ｐ、２２ＰもしくはＲＧＢ絵素の輪郭形状に相似である」から、引用発明は、本願補正発明の「前記反射層の該反射領域は、前記ブラックマトリックスと対応する位置に形成され」との事項を備える。
　
　エ　引用発明は、「光反射シート１３」が、その「複数の開口１３ａ」の間の部分で「バックライト装置１１」及び「反射板１１ｂ」からの光の一部を反射させるといえ、また、「反射板１１ｂ」が、「光反射シート１３」からの反射光を反射させるといえるから、引用発明は、本願補正発明の「前記反射層は、前記エッジ型バックライトアセンブリ及び前記反射板からの光の一部を前記反射領域で反射させ、前記反射板は、前記反射層からの反射光を反射させる」との事項を備える。
　
　したがって、両者は、 
「液晶表示装置であって、
　液晶パネル、
　該液晶パネルの下部に配置されたバックライトアセンブリ、
　該液晶パネルと該バックライトアセンブリとの間に、これら液晶パネルとバックライトアセンブリと別個に配置された、複数の反射領域及び複数の透過領域を有する反射層、及び、
　該バックライトアセンブリの下面に配置された反射板を備え、
　前記液晶パネルは、対向して配置された２つの基板と、カラーフィルターと、該２つの基板の間に形成される液晶層、及び光漏れを防止するブラックマトリックスを備え、
　前記反射層の該反射領域は、前記ブラックマトリックスと対応する位置に形成され、
　前記反射層は、前記エッジ型バックライトアセンブリ及び前記反射板からの光の一部を前記反射領域で反射させ、前記反射板は、前記反射層からの反射光を反射させる液晶表示装置。」 
である点で一致し、次の各点で相違する。 
　 
　ａ　バックライトアセンブリが、本願補正発明では、エッジ型であるのに対し、引用発明では、エッジ型であるか否か明らかではない点。（以下「相違点１」という。）。
　
　ｂ　液晶パネルが、本願補正発明では、少なくとも一方に電界を発生する電極を有するカラーフィルタ基板及びＴＦＴアレイ基板、前記ＴＦＴアレイ基板上に縦横に配列されて画素領域を定義する複数のゲートライン及びデータライン、前記ゲートラインとデータラインとの交差領域に形成される薄膜トランジスタ、前記カラーフィルタ基板上に形成されるカラーフィルタ層、前記カラーフィルタ基板とＴＦＴアレイ基板との間に形成される液晶層を備え、前記ブラックマトリックスは前記カラーフィルタ基板上に形成され、前記ブラックマトリックスにより前記カラーフィルター層の内部が光遮断領域と光透過領域とに区分されるのに対し、引用発明では、そのようなものであるのか否か明らかではない点（以下「相違点２」という。）。
　
　ｃ　反射層の反射領域が、本願補正発明では、ブラックマトリックスと同じ形状に形成されるのに対し、引用発明では、相似に形成される点（以下「相違点３」という。）。
　
　上記各相違点につき検討する。
・相違点１について
　液晶表示装置のバックライトとして、エッジ型のものを用いるものは本願の優先日時点で周知であるから（必要なら、引用刊行物の図１、特開平５−３３３３３２号公報（【００３１】〜【００３３】、図５）、特開２００４−１３９９５８号公報（【０００７】、【０００８】、図２）参照。）、引用発明の「バックライト装置１１」としてエッジ型のものを用いて、上記相違点１に係る本願補正発明の構成となすことは、当業者が容易になし得ることである。
・相違点２について
　縦横に配列された複数のゲートライン及びデータラインと該ゲートラインとデータラインとの交差領域に形成される薄膜トランジスタとが形成されたＴＦＴアレイ基板、カラーフィルター層及びブラックマトリックスとが形成されたカラーフィルタ基板、及び、前記ＴＦＴアレイ基板とカラーフィルタ基板との間に形成された液晶層、とからなる液晶表示装置は、本願の優先日時点で周知であるから（必要なら、特開平５−１８１１２８号公報（図１、図２とその説明）、特開平１１−１８３９０４号公報（図６、図７とその説明）、特開平５−３４６７９号公報（図１、図２とその説明）参照。）、引用発明の「液晶表示パネル２４」を、そのようなＴＦＴアレイ基板、カラーフィルタ基板、及び、それらの間に形成された液晶層とからなるものとして、上記相違点２に係る本願補正発明の構成となすことは、当業者が容易になし得ることである。
・相違点３について
　引用発明は、「絵素に入射する光としては、反射板１１ｂで反射した光Ｌ１以外に、光反射シート１３で反射した光Ｌ２やＬ３などがあり、これにより光源光はＢＭ領域で吸収されることなく効果的に表示に利用されるため、従来に比して遥かに多くの光を絵素に与えることができ、明るい画像表示が可能とな」るものであるところ、より多くの光を絵素に与えるように「複数の開口１３ａの間の光反射シート１３の部分」の形状と「ブラックマトリクス（ＢＭ）領域」の形状とを同じ形状に形成することは、当業者が容易になし得ることである。
　
　そして、本願補正発明によってもたらされる効果は、引用発明及び周知技術から予測し得る程度のものである。
　
　したがって、本願補正発明は、引用刊行物に記載された発明及び周知技術に基づいて当業者が容易に発明をすることができたものであるから、特許法第２９条第２項の規定により、特許出願の際独立して特許を受けることができないものである。  
 　 
（３）むすび  
　以上のとおり、本件補正は、平成１８年改正前法律第５５号改正附則第３条第１項によりなお従前の例によるとされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
　
第３　本願発明について
１　本願発明
　本件補正は上記のとおり却下されたので、本願の請求項に係る発明は、平成２１年１月２８日付け手続補正書の特許請求の範囲の請求項１〜１０に記載された事項によって特定されるものであるところ、その請求項９に係る発明は次のとおりのものである。
　
「【請求項１】
　液晶表示装置であって、
　液晶パネル、
　該液晶パネルの下部に配置されたバックライトアセンブリ、
　該液晶パネルと該バックライトアセンブリとの間に配置された、複数の反射領域及び複数の透過領域を有する反射層、及び、
　該バックライトアセンブリの下面に配置された反射板からなることを特徴とする液晶表示装置であって、
　前記液晶パネルは、対向して配置され、少なくとも一方に電界を発生する電極を有するカラーフィルタ基板及びＴＦＴアレイ基板、前記ＴＦＴアレイ基板上に縦横に配列されて画素領域を定義する複数のゲートライン及びデータライン、前記ゲートラインとデータラインとの交差領域に形成される薄膜トランジスタ、前記カラーフィルタ基板上に形成されるカラーフィルタ層、前記カラーフィルタ基板とＴＦＴアレイ基板との間に形成される液晶層、及び光漏れを防止するブラックマトリックスからなり、
　前記ブラックマトリックスは前記カラーフィルタ基板上に形成され、
　前記ブラックマトリックスにより前記カラーフィルター層の内部が光遮断領域と光透過領域とに区分され、
　前記反射層の該反射領域は、前記ブラックマトリックスと同じ形状かつ対向するように形成されることを特徴とする液晶表示装置。
【請求項２】
　請求項１記載の液晶表示装置において、前記反射層は前記バックライトアセンブリ及び
前記反射板からの光の一部を前記反射領域で反射し、該反射板は該反射層からの反射光を
反射することを特徴とする液晶表示装置。
・・・
【請求項９】
　請求項１または請求項２に記載の液晶表示装置において、前記バックライトアセンブリはエッジ型バックライトアセンブリ、又は直下型バックライトアセンブリであることを特徴とする液晶表示装置。」（以下、請求項９に係る発明を「本願発明」という。）
　
２　刊行物記載の発明
　原審における拒絶の理由に引用され、本願の優先日前に頒布された引用刊行物及び引用発明は、上記第２の２（１）のとおりである。
　
３　判断
　本願発明は、上記第２の２（２）で検討した本願補正発明において、「バックライトアセンブリ」が「エッジ型バックライトアセンブリ」であるとの限定を「エッジ型バックライトアセンブリ、又は直下型バックライトアセンブリである」と元に戻し、「反射層」が「これら液晶パネルとバックライトアセンブリと別個に配置された」ものであるとの限定を省き、「前記反射層の該反射領域は、前記ブラックマトリックスと対応する位置に形成され、前記ブラックマトリックスと同じ形状に形成され」との記載を補正前の「前記反射層の該反射領域は、前記ブラックマトリックスと同じ形状かつ対向するように形成され」としたものである。そうすると、本願発明を減縮したものである本願補正発明が、上記第２の２（２）で検討したとおり、引用刊行物に記載された発明及び周知技術に基づいて当業者が容易に発明することができたものであるから、本願発明も同様の理由により、引用刊行物に記載された発明及び周知技術に基づいて当業者が容易に発明をすることができたものである。
　
　そして、本願発明によってもたらされる効果は、引用発明及び周知技術から当業者が予測し得る程度のものである。
　
４　むすび
　以上のとおり、本願発明は、引用刊行物に記載された発明及び周知技術に基づいて当業者が容易に発明をすることができたものであるから、特許法第２９条第２項の規定により特許を受けることができない。
　
　よって、結論のとおり審決する。